(57)【要約】      （修正有）【課題】使用者が迅速に、かつ自由にルアーやリグを交換しスイッシャーリグの効果を最大限に引き出す事によって、より良い釣果を得る切り替え式スイッシャーリグを提供する。【解決手段】使用者がその場の状況に合わせて迅速に、かつ自由にルアーやリグを交換し釣りに臨むことでより良い釣果を得る構造を構成している。同じ時間内にルアー（疑似餌）やリグ（仕掛け）を投げる回数を増やす事ができ、釣果に貢献できる。【選択図】図１
0003171565.tif 000002
【実用新案登録請求の範囲】
【請求項１】
使用者が自由にルアー（疑似餌）やリグ（仕掛け）を選択できるスイッシャーリグ（回転羽根仕掛け）
【請求項２】
その場の状況に合わせて様々なルアー（疑似餌）やリグ（仕掛け）・フック（釣り針）・ライン（釣り糸）との組み合わせが可能な請求項１のスイッシャーリグ（回転羽根仕掛け）
【請求項３】
スイッシャーリグ（回転羽根仕掛け）を使用した動作により併用するルアー（疑似餌）やリグ（仕掛け）に振動や動きを与える事ができる請求項１又は２記載のスイッシャーリグ（回転羽根仕掛け）。
【請求項４】
スイッシャーリグ（回転羽根仕掛け）を使用した動作により音や光の反射をもたらし集魚効果を高める事ができる請求項１〜３記載のスイッシャーリグ（回転羽根仕掛け）。
【請求項５】
請求項４の動作により併用するルアー（疑似餌）やリグ（仕掛け）にも音や光の反射をもたらし集魚効果を高める事ができる請求項１〜４記載のスイッシャーリグ（回転羽根仕掛け）。
【請求項６】
請求項１〜５に記載したスイッシャーリグ（回転羽根仕掛け）は針金・ビーズ・スイッシャー（回転羽根）から構成されている。
【請求項７】
請求項１〜６に記載したスイッシャーリグ（回転羽根仕掛け）は使用者の釣りに必要な強度を得るため、接合部分にロー付けを施し強度を得ている。
【請求項８】
請求項１〜７に記載したスイッシャーリグ（回転羽根仕掛け）は使用者の釣りに快適性を与える為、スイッシャー（回転羽根）の動作範囲を限定するためビーズを固定している。
【請求項９】
請求項１〜８に記載したスイッシャーリグ（回転羽根仕掛け）は使用者の釣りに快適性を与える為、ルアー（疑似餌）やリグ（仕掛け）の接合部分をスナップ形式とし、ワンタッチで素早く交換可能な形状にしている。
【考案の詳細な説明】
【技術分野】
【０００１】本考案は切り替え式スイッシャーリグに関する。
【背景技術】
【０００２】従来、スイッシャー（回転羽根）はルアー（疑似餌）やリグ（仕掛け）・フック（釣り針）・ライン（釣り糸）に組み込まれている物が大半であった。【０００３】上記の理由により、使用者はその場の状況に合わせて自由にルアー（疑似餌）やリグ（仕掛け）・フック（釣り針）・ライン（釣り糸）を選択できないという欠点があった。【０００４】よって、スイッシャー（回転羽根）より得られる絶大な効果（［請求項１〜５］に示す）を得る機会を限定されていた。
【先行技術文献】
【特許文献】
【非特許文献】
【０００５】
【非特許文献１】「バスワールドＮＯ．１７２  ２０１０年  １１月号」エイ出版社  ｐ．７７
【考案の概要】
【考案が解決しようとする課題】
【０００６】本考案は、以上のような従来の欠点に鑑み、仕掛けの使用者がその場の状況に合わせて自由にルアー（疑似餌）やリグ（仕掛け）・フック（釣り針）・ライン（釣り糸）を選択できるように切り替え式スイッシャーリグを提供する事を目的としている。
【課題を解決するための手段】
【０００７】上記目的を達成する為、本考案では（［請求項６〜９］の構成要件）とで切り替え式スイッシャーリグを構成している。
【考案の効果】
【０００８】以上の説明から明らかなように、本考案にあたっては次に列挙する効果が得られる。
（１）（［請求項６〜９］の構成要件）とで構成されているのでその場の条件に合わせて素早く、かつ自由にルアー（疑似餌）やリグ（仕掛け）・フック（釣り針）・ライン（釣り糸）を交換でき釣果に貢献できる。【０００９】（２）前記（１）によって同じ時間内にルアー（疑似餌）やリグ（仕掛け）を投げる回数を増やす事ができ、釣果に貢献できる。【００１０】（３）前記（１）〜（２）にも（［請求項１〜１０］）の効果を得られる。
【図面の簡単な説明】
【００１１】
【図１】本考案を実施する為の実施例１を示した平面図である。
【図２】本考案を実施する為の実施例２を示した平面図である。
【図３】本考案を実施する為の実施例３を示した平面図である。
【図４】本考案を実施する為の実施例４を示した平面図である。
【考案を実施するための最良の形態】
【００１２】以下、本考案の実施の形態を図に基づいて説明する。
【実施例１】
【００１３】図  は本考案リグ（仕掛け）の実施例１の平面図であって、ワーム（疑似餌）とオフセットフックで使用した状態である。
【実施例２】
【００１４】図  は本考案リグ（仕掛け）の実施例２の平面図であって、ワーム（疑似餌）とジグヘッドで使用した状態である。
【実施例３】
【００１５】図  は本考案リグ（仕掛け）の実施例１の平面図であって、ワーム（疑似餌）とラバージグで使用した状態である。
【実施例４】
【００１６】図  は本考案リグ（仕掛け）の実施例１の平面図であって、ハードルアー（疑似餌）に使用した状態である。
【産業上の利用可能性】
【符号の説明】１針金（素材はステンレスや形状記憶合金）
２固定ビーズ
３スイッシャー（回転羽根）
４稼動ビーズ
５固定ビーズ
６オフセットフック
７ワーム（疑似餌）
８ジグヘッド
９ラバージグ
１０ルアー（疑似餌）
【図１】
0003171565.tif 000003
【図２】
0003171565.tif 000004
【図３】
0003171565.tif 000005
【図４】
0003171565.tif 000006
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
スイッシャーリグ（回転羽根仕掛け）の本体の後部に独自のスナップ形状を構成することで、使用者が自由にルアー（疑似餌）やリグ（仕掛け）をワンタッチで素早く交換可能なスイッシャーリグ（回転羽根仕掛け）
【請求項２】
スイッシャーリグ（回転羽根仕掛け）の本体の前後に独自のスナップ形状を構成することで、その場の状況に合わせて様々なルアー（疑似餌）やリグ（仕掛け）・フック（釣り針）・ライン（釣り糸）との組み合わせが可能なスイッシャーリグ（回転羽根仕掛け）
【請求項３】
水流により回転するスイッシャー（回転羽根）がスイッシャーリグ（回転羽根仕掛け）本体に搭載されている事により、釣りに使用した際の動作で併用するルアー（疑似餌）やリグ（仕掛け）に振動や動きを与える事ができるスイッシャーリグ（回転羽根仕掛け）。
【請求項４】
水流により回転するスイッシャー（回転羽根）がスイッシャーリグ（回転羽根仕掛け）本体の真ん中に搭載されている事により、釣りに使用した際の動作で音や光の反射をもたらし集魚効果を高める事ができるスイッシャーリグ（回転羽根仕掛け）。
【請求項５】
請求項４の動作により併用するルアー（疑似餌）やリグ（仕掛け）にも音や光の反射をもたらし集魚効果を高める事ができる請求項１〜４のいずれか一項に記載のスイッシャーリグ（回転羽根仕掛け）である。
【請求項６】
請求項１〜５のいずれか一項に記載のスイッシャーリグ（回転羽根仕掛け）は針金・ビーズ・スイッシャー（回転羽根）から構成されているスイッシャーリグ（回転羽根仕掛け）である。
【請求項７】
スイッシャーリグ（回転羽根仕掛け）本体の針金の接合部分にロー付けを施す事で使用者の釣りに必要な強度を得ているスイッシャーリグ（回転羽根仕掛け）である。
【請求項８】
スイッシャーリグ（回転羽根仕掛け）の針金部分に通して使用しているビーズによりスイッシャー（回転羽根）の動作範囲を限定することで、糸絡みを防止し使用者の釣りに快適性を与えることの出来るスイッシャーリグ（回転羽根仕掛け）である。
【請求項９】
請求項１〜８のいずれか一項に記載したスイッシャーリグ（回転羽根仕掛け）は使用者の釣りに快適性を与える為、ルアー（疑似餌）やリグ（仕掛け）の接合部分をスナップ形式とし、ワンタッチで素早く交換可能な形状にしているスイッシャーリグ（回転羽根仕掛け）である。
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
スイッシャーリグ（回転羽根仕掛け）の本体の後部に、針金でヒネリが加わった水玉形状のスナップ構造を有することで、使用者が自由にルアー（疑似餌）やリグ（仕掛け）を交換できる事が特徴のスイッシャーリグ（回転羽根仕掛け）。
【請求項２】
スイッシャーリグ（回転羽根仕掛け）の本体の前には環状の構造、後にはヒネリが加わった水玉形状のスナップ構造を構成することで、その場の状況に合わせて様々なルアー（疑似餌）やリグ（仕掛け）・フック（釣り針）・ライン（釣り糸）との組み合わせが可能な事が特徴のスイッシャーリグ（回転羽根仕掛け）。
【請求項３】
水流により回転するスイッシャー（回転羽根）が軸となる針金の中心に搭載されている事により、使用した際のスイッシャー（回転羽根）の回転運動で、併用するルアー（疑似餌）やリグ（仕掛け）に振動を源とする動きを与える事を特徴とする請求項１記載のスイッシャーリグ（回転羽根仕掛け）。
【請求項４】
水流により回転するスイッシャー（回転羽根）が軸となる針金の中心に搭載されている事により、使用した際のスイッシャー（回転羽根）の回転運動で、音や光の反射をもたらし集魚効果を高める事を特徴とする請求項１記載のスイッシャーリグ（回転羽根仕掛け）。
【請求項５】
請求項４の動作により、請求項２記載のスナップ構造部で連結して併用するルアー（疑似餌）やリグ（仕掛け）にも稼動音や反射光をもたらし集魚効果を高める事を特徴とする請求項１〜４のいずれか一項に記載のスイッシャーリグ（回転羽根仕掛け）。
【請求項６】
請求項１〜５のいずれか一項に記載のスイッシャーリグ（回転羽根仕掛け）は針金・ビーズ・スイッシャー（回転羽根）から構成されている事を特徴とするスイッシャーリグ（回転羽根仕掛け）。
【請求項７】
スイッシャーリグ（回転羽根仕掛け）本体の針金の接合部分にロー付けを施す事で使用者の釣りに必要な強度得ている事を特徴とする請求項１記載のスイッシャーリグ（回転羽根仕掛け）。
【請求項８】
スイッシャーリグ（回転羽根仕掛け）の針金部分に通して使用しているビーズによりスイッシャー（回転羽根）の動作範囲を限定することで、糸絡みを防止し使用者の釣りに快適性を与える事を特徴とする請求項１記載のスイッシャーリグ（回転羽根仕掛け）。
【請求項９】
請求項１〜８のいずれか一項に記載したスイッシャーリグ（回転羽根仕掛け）は使用者の釣りに快適性を与える為、ルアー（疑似餌）やリグ（仕掛け）の接合部分を請求項１に記載構造とし、ワンタッチで素早く交換できる形状を特徴とするスイッシャーリグ（回転羽根仕掛け）。